(57)【要約】      （修正有）【課題】透明シートを通して傷口の治癒状態を直視できるようにした傷口保護膜形成キットを提供する。【解決手段】接着性材料５が透明シート２と皮膚３の表面を覆い両者を一体化する。透明シート２を皮膚表面３に接続するために用いる接着性材料５は、透明シート２の端部から外方に延長して皮膚表面３にまで設けられている。接着性材料５は、透明シート２および皮膚３に対して十分な接着力を有するものからなり、人体にアレルギーその他の影響を与ない素材から選ばれる。傷口保護を上部からみると、接着性材料５が透明シート２の端部から皮膚表面３を覆い両者を一体化し、中央部には透明窓が形成されている。接着性材料５として透明性が高い材質を用いる場合には、透明シート２の全面に接着性材料５を設けてもよい。【選択図】図１
0003167793.tif 000002
【実用新案登録請求の範囲】
【請求項１】
傷口を被覆する柔軟なシート、および該シートの少なくとも端部周辺において皮膚と該シートを一体にする被膜を形成する皮膚から易剥離性である接着性材料が収納された容器の組み合わせから成る傷口保護膜形成キット。
【請求項２】
傷口を被覆する柔軟なシートが、柔軟で透明な合成樹脂シートである請求項１記載の傷口保護膜形成キット。
【請求項３】
傷口を被覆する柔軟なシートが、端部周辺において皮膚と該シートを一体にする接続部が設けられている請求項１または２記載の傷口保護膜形成キット。
【請求項４】
接続部が、該シートの端部から端部外方に延長して設けられている請求項１、２または３に記載の傷口保護膜形成キット。
【請求項５】
接続部が、該シートの端部を被覆するとともに端部から外に延長して設けられている請求項４に記載の傷口保護膜形成キット。
【請求項６】
接続部が、該シート端部に設けられた通液性を有する多孔質部を有する請求項３，４または５に記載の傷口保護膜形成キット。
【請求項７】
皮膚から易剥離性である接着性材料が、ストリッパブルコーティング剤である請求項１から６のいずれかに記載の傷口保護膜形成キット。
【請求項８】
ストリップコーティング剤が、リモネンを含有するビニルプラスチックゾルからなる請求項７に記載の傷口保護膜形成キット。
【請求項９】
容器が、ノズルおよび押釦を備えた易剥離性である接着性材料が蓄圧貯蔵される携帯用ボンベである請求項１から８のいずれかに記載の傷口保護膜形成キット。
【請求項１０】
容器が、易剥離性である接着性材料を収容した蓋付きチューブである請求項１から８のいずれかに記載の傷口保護膜形成キット。
【請求項１１】
容器が、蓋に刷毛を付設した蓋付き小型瓶である請求項１から８のいずれかに記載の傷口保護膜形成キット。
【考案の詳細な説明】
【技術分野】
【０００１】
本考案は、救急絆創膏やガーゼなどとは異なる構造をもって傷口の外側を被覆保護する機能を果たす傷口保護膜を形成するための傷口保護膜形成キットに関する。本考案の傷口保護膜形成キットは、例えば、水分、気体などに対して不透過性で透明の被覆保護膜を形成できるため、従来の傷口保護膜の保護機能に加え、いつでも傷口の治癒状態を観察することができる優れた特性を有するものである。
【背景技術】
【０００２】
従来、皮膚に生じた切り傷、差し傷、すり傷等の傷に対しては、傷口に薬を塗り、その上に当て布付きの救急絆創膏を直接貼ったり、薬を塗った傷口にガーゼを当てその上から包帯を巻いたり、或いは絆創膏を貼るなどにより手当てがなされてきた。
切り傷や、外科手術に於ける切開や、潰瘍や、火傷などの傷を治療する為に、傷口に包帯類をあてる目的の１つは傷が感染するする危険性を低下させることである。包帯類は、創傷および周辺領域を可能な限り確実に清潔さを保つために定期的な間隔で、また、治癒の状態に応じて交換する必要がある。機密性の包帯類は、創傷を密封することによって外部からの汚染を防止し、組織を湿った状態とするとともに、治癒を促進する。こうした傷口の保護、治療用の包帯類には、多くのタイプが使用され、それぞれ特徴を有するものが数多く提案されている。
【０００３】
その具体例を以下にいくつかあげると、機能性を付加し包帯類の使用を簡便とするものとしては、創傷部をカバーする被覆材を生分解性とすることにより生理活性剤を持続して放出することができる生分解性の被覆材であって、水または体液に不溶である生分解性／生体侵食性熱可塑性重合体と水または体液に混和または拡散する有機溶媒とから形成される液体組成物と、この液体組成物を内包する容器と、この液体組成物を人体または動物組織上に投与することができる該液体組成物を液的に結合した放出手段とから成る生分解性フィルム被覆材（特許文献１）や、創傷滲出物の吸収度が観察でき、傷滲出物を除去し、新たに形成された組織への害を最小にし、創傷のバクテリア汚染の可能性を最小限にし、さらに、包帯の取り替え最適時期を効果的に決定する包帯として、接着することなく創傷に接触するパッドが、バクテリアおよび液体に対して不透過性の基体に接着されており、この基体を通して、パッドによる創傷滲出物の吸収度が観察され包帯（特許文献２）などが提案されている。
【０００４】
また、高分子化合物を含有する組成物を傷口に塗布して包帯用の被膜を形成する技術に関しては、メタクリル酸ジアルキルアミノアルキル／メタクリル酸エステル重合体と可塑剤とからなる組成物をスプレーなどで傷口に塗布して自然乾燥により膜状の包帯を形成する（特許文献３）、一価の低級アルコールと相溶性を有するポリビニルアルコール、一価の低級アルコール、エステルガムを含有する速乾性被膜形成基剤（特許文献４）などが知られている。
他の例としては、一側面に粘着シ−ルをいくつか設けた紐を、粘着シ−ルを外向きにして紐を屈曲させて、紐を傷の外周を砦状に囲わせ、その上に保護ネットを設けることにより傷口が保護ネットによる接触から保護することができる傷口保護具（特許文献５）などが提案されている。
【先行技術文献】
【特許文献】
【０００５】
【特許文献１】特開平０６−００７４２３公報
【特許文献２】特開平０５−２０８０３２公報
【特許文献３】特開昭５１−７５７４５号公報
【特許文献４】特開昭５８−７８６６３号公報
【特許文献５】実開平５−８４３１９号公報
【特許文献６】特許第４６７１３２号公報
【考案の開示】
【考案が解決しようとする課題】
【０００６】
ほとんどの外科的な外傷（火傷を含む）に対する一般的な治療の場合において、治療のある時期は半永久的なカバー材または被覆材が必要とされる。この被覆材の目的は創傷の機械的保護、微生物汚染の防止、創傷の脱水の防止、創傷の浸出液の除去、そして治療薬の高い局所レベルの放出を含んでいる。創傷の治療はその創傷の型と発病度に依存して変わるので、いくつかの天然または合成された被覆材は短期間と長期間の適用ができるようになされている。しかしながら、これらの被覆材のほとんどには、取り扱いにくさや価格などの点で満足できないなどの改良すべき点がある。例えば、不透明な包帯では、傷口を確認することが難しいので確実に傷口を覆うことができないことが多い。さらに、皮膚との接着が難しいこと、傷口の治癒状態の確認がむつかしいこと、容易にしかも傷口を痛めることなく剥離することができること、などを満足に実現した包帯類を提供することは困難であった。
【０００７】
また、傷口の上に当て布付きの救急絆創膏を直接貼ったり、ガーゼなどを当てその上から包帯を巻いたり或いは絆創膏を貼るなどの手当てをした場合には、その当て布やガーゼなどを通して傷口まで水が染み込み易く、そのため、例えば入浴や、炊事、洗濯などの水仕事の場合には傷口を濡らさないように、外側から手袋をしたり、或いは防水性のシートを被せる、巻く等の防水処置が特別に採られていた。しかしながらそのような防水処置は、面倒である上、処置の仕方が悪いと防水機能が不完全となって水の侵入を起こすおそれがあり、また傷口やその近傍だけでなく周囲を必要以上に広範囲に防水処置する必要があった。そこで、本発明者は、ストリップルコーテイングの新しい用途として傷口保護膜形成用シール剤を開発した（特許文献６）。しかし、包帯、ガーゼなどは不透明であり、傷口の治癒の状態を観察することはかなわなかった。
【０００８】
本考案はこのような従来製品の問題点を解決するものであり、柔軟なビニール膜で傷口を被覆してその端部を皮膚と混在一体となる接続部を塗布などにより設けて防水、防塵を実現する傷口保護膜形成キットの提供を目的とし、さらには、透明な保護膜を通して傷口の治癒状態が直視できる透明傷口保護膜の形成を目的とするものである。  
すなわち、本考案は、例えば、透明で柔軟なビニール膜などの透明シートで傷口を覆いその端部と皮膚が一体となるように接続部を透明シートの全周囲に設けることにより傷口と外界とを遮断させて気密となし、透明シートを通して傷口の治療状態が直視できるような傷口保護膜形成キットに関する。
【０００９】
また、本考案は、傷口保護膜を形成するにあたりストリッパブルコーティング剤などの接着性樹脂組成物の特性を生かして、透明シートと皮膚とのシール材として、あるいはその接合材として、さらに透明シートの透明性を維持したままそれを補強する透明膜として使用することにより簡単かつ的確に保護膜を形成できるようにするものである。
【課題を解決するための手段】
【００１０】
本考案は以下の技術的事項からなる。
（１）傷口を被覆する柔軟なシート、および該シートの少なくとも端部周辺において皮膚と該シートを一体にする被膜を形成する皮膚から易剥離性である接着性材料が収納された容器の組み合わせから成る傷口保護膜形成キット。
（２）傷口を被覆する柔軟なシートが、柔軟で透明な合成樹脂シートである上記（１）記載の傷口保護膜形成キット。
（３）傷口を被覆する柔軟なシートが、端部周辺において皮膚と該シートを一体にすることができる接続部が設けられている上記（１）または（２）記載の傷口保護膜形成キット。
（４）接続部が、該シートの端部から端部外方に延長して設けられている上記（１）、（２）または（３）に記載の傷口保護膜形成キット。
（５）接続部が、該シートの端部を被覆するとともに端部から外に延長して設けられている上記（４）に記載の傷口保護膜形成キット。
（６）接続部が、該シート端部に設けられた通液性を有する多孔質部を有する上記（３）、（４）または（５）に記載の傷口保護膜形成キット。
（７）皮膚から易剥離性である接着性材料が、ストリッパブルコーティング剤である上記（１）から（６）のいずれかに記載の傷口保護膜形成キット。
（８）ストリップコーティング剤が、リモネンを含有するビニルプラスチックゾルからなる上記（７）に記載の傷口保護膜形成キット。
（９）容器が、ノズルおよび押釦を備えた易剥離性である接着性材料が蓄圧貯蔵される携帯用ボンベである上記（１）から（８）のいずれかに記載の傷口保護膜形成キット。
（１０）容器が、易剥離性である接着性材料を収容した蓋付きチューブである上記（１）から（８）のいずれかに記載の傷口保護膜形成キット。
（１１）容器が、蓋に刷毛を付設した蓋付き小型瓶である上記（１）から（８）のいずれかに記載の傷口保護膜形成キット。
【考案の効果】
【００１１】
本考案は、傷口保護膜形成キットに関し、その膜構造を形成するあたり、特に、気密性のある柔軟な透明シートを使用すると以下のごとき効果を奏するものである。
すなわち、傷口の気密性を保持できるため細菌類による感染を防ぐことができる。また、透明シートと傷を負った周辺の皮膚を一体とすることができるために使用による違和感がない。透明部より傷の状態、範囲を確認できるため傷を負った領域全般を正確に覆うように保護膜を設けることが容易となる。透明シートは柔軟性を有しているため体表面の凹凸に追従することができるばかりか、傷口にシートが接触しないようにすることも容易である。透明シートを通して傷口の治癒状況が容易に目視できることは傷口保護膜の除去時期を的確に判断することができる。透明シートの端部を通液性があり柔軟な多孔質部とすることにより透明シートの皮膚への接着性が向上されるとともに、皮膚への刺激を減少させうることができる。
【００１２】
また、本考案の傷口保護膜形成キットで形成される保護膜の接合部としては、傷を被覆した透明シートと周囲の皮膚上面にストリッパブルコーティング剤などの接着性材料を、塗布し乾かすことにより透明シートから皮膚表面に連続した接続部を設けることができ、傷口を水や塵埃から完全に遮断、被覆する傷口保護膜を簡単に生成せることができる。しかもこの傷口保護膜を構成する素材は、人体に無害であり且つ比較的柔軟で皮膚へのなじみ性が良く違和感がない上、使用後は該傷口保護膜を手で容易に剥ぎ取ることができる。したがって、本考案により形成される透明傷口保護膜は、防水及び防塵機能を備えた傷口保護膜として最適のものであって、使い勝手も頗る良好であり、入浴時や水仕事時に傷口を水濡れから確実に保護することができる。また、ストッパブルコーティングにはリモネンを混合することにより適度な取り扱い特性を付与することも可能である。
【００１３】
本考案の傷口保護膜には、傷口に対する消毒薬や治療薬を含有させることができ、消毒薬や治療薬を持ち合わせていなくても、応急手当てや止血を的確に行うことができるため細菌感染による化膿を効果的に防止できる。また、接続部を形成する接着性材料としてチューブ入り接着剤や、ストッパブルコーティング剤を高圧ガスとエアゾール管の内部に充填し、手動操作可能な開閉ノズルより該シール剤を傷口に向けて随時に噴射できるようにすると接続部の形成に便利である。接続部の形成のみならず、特にエアゾール管でストッパブルコーティング剤を吹き付けると、透明シート全体にその透明性、柔軟性を維持したままそれを補強する透明膜を形成することができるという効果を奏する。
【図面の簡単な説明】
【００１４】
【図１】本考案に係る透明傷口保護膜の断面図であり、透明シートが接着性材料により皮膚に一体化している。
【図２】図１の透明傷口保護膜の平面図である。
【図３】本考案に係る透明傷口保護の平面図であって、透明シートの全面を透明接着性材料が覆っている例である。
【図４】本考案に係る透明傷口保護膜の断面図であって、透明シートの端部が多孔質体となり、多孔質体から含浸した接着剤により透明シートと皮膚が一体になっている例である。
【図５】本考案に係る透明傷口保護膜の断面図であって、透明シートの端部には柔軟で透水性のある部分が設けられている例の断面である。
【図６】透明シートの端部が、スプレー容器に入ったストリッパブルコーティング剤を噴射することにより皮膚と一体となっている例である。
【図７】透明シートの端部が、チューブに入った接着剤を塗布して皮膚と一体化した例である。
【考案を実施するための最良の形態】
【００１５】
本考案は、傷口を被覆し、かつ手で剥ぎ取り可能な柔軟な傷口保護膜を皮膚の表面上に形成するための傷口保護膜形成キットであって、柔軟なシート、および該シートの端部周辺において皮膚と該シートを一体にすることができる接続部が設けられている傷口保護膜を形成する。本考案は、剥ぎ取り可能な透明で柔軟な傷口保護膜を採用することにより、傷口の衛生的な保護、管理を確実にするとともに、傷口の治癒状態を簡便に確認することにより、傷口の完治を早めることができる。柔軟なシートとしては透明プラスティックシートとすることが好ましい。本考案のキットは、少なくとも接着性材料と透明シートが袋、箱などの容器内に収納されているものであることが好ましいが、接着性材料が収納されたスプレー缶に透明シートを貼着した形態とすることもできる。また、接着性材料はノズルおよび押釦を備えた携帯用のボンベに蓄圧貯蔵されるか、蓋つきチューブに貯蔵することにより使用が簡便となり、容器の蓋などに塗布した接着材料を塗布するための刷毛を付設させることもできる。
【００１６】
本考案で用いられる、柔軟なシートは、通常は、プラスチックからなる薄い板状の成型品が使用され、その材質、厚み、大きさなどは傷口の種類、大きさ、損傷した場所などに合わせて適宜選定することができるように、幾種類も用意されるが特に限定されない。その形状には、長方形、正方形、円形、楕円形などから適宜選ばれ、その厚みは傷口を気密性に保持でき、傷口付近の凹凸に追従できるものであればよい。シートの材質としては、柔軟性、気密性、水密性を有するものであり、人体へ害を与えないものから選ばれる。例えば、ポリエチレン、ポリプロピレン、ポリエステル、ポリアミドなどの樹脂類がその代表として挙げることができる。この柔軟なシートは透明性を有することが好ましい。
以下の説明においては、柔軟で透明なシート（（以下、単に「透明シート」とも言う。）を使用した例によるが、柔軟なシートであれば本考案に使用することができる。  
例えば、本考案で形成された傷口保護膜は、透明シートとその周辺部に透明シートと皮膚とを一体化する接続部とからなり、接続部は透明シートを皮膚表面に接着し一体化できるものであれば特に限定されないが、接着性材料から形成され、傷口の密封性を保持できるように、透明シートの周囲全面に設けることが好ましい。
【００１７】
接続部は透明シートを皮膚と一体化するものであり、例えば、透明シート裏面の周辺に設けられた接着剤などの接着性材料からなる。これらの材料は、透明シートを皮膚に一体に接合には十分な接着力を有し、傷口付近の皮膚から容易にはがれることがなく、さらに保護作用が傷口の治癒されるに十分な期間にわたって剥がれないことが必要であると同時に、傷口の保護作用が必要でなくなった場合には皮膚からの剥離が容易である必要がある。こうした接着性材料の例としては、例えば、従来の絆創膏、貼り薬などに使用されている接着性材料やストリッパブルコーティング剤として使用されている公知の組成物の使用が挙げられる。接着性材料は、直接、透明シートと皮膚に直接適用するのが良い。
【００１８】
本考案により形成された傷口保護膜について具体例を以下の模式図に基づいて説明する。
図１は、接着性材料５が透明シート２と皮膚３の表面を覆い両者を一体化している。透明シート２を皮膚表面３に接続するために用いる接着性材料５は、透明シート２の端部から外方に延長して皮膚表面３にまで設けられている。接着性材料５は、透明シート２および皮膚３に対して十分な接着力を有するものからなり、人体にアレルギーその他の影響を与ない素材から選ばれる。図１に示した傷口保護を上部からみると図２に示すように、接着性材料５が透明シート２の端部から皮膚表面３を覆い両者を一体化し、中央部２１には透明窓が形成されている。接着性材料５として透明性が高い材質を用いる場合には、図３のように透明シート２の全面に接着性材料５を設けてもよい。
【００１９】
図４は、透明シート２の外周部に多孔質部６１を設け接続部を形成するようにしたものである。多孔質部６１の上には透明シート２を皮膚３と一体化することができる接着性材料５が設けられており、接着性材料５は多孔質部６１を浸透して皮膚３にまで到達して透明シート２を皮膚３と一体化する。多孔質構造６１は透明シート２の端部を加工することにより形成するか、他の多孔質物である布などを透明シート２と一体化することによることが一般的である。接着剤としては、人体に適用できる接着剤やストッパブルコーティング剤などが利用される。
図５には、透明シート２の端部に柔軟性と通液性のある材質からなる部材６２を設けた例である。部材６２は、透明シート２と皮膚との接着による一体化に貢献するとともに、透明シート２と皮膚３との間の緩衝材ともなる。部材６２の大きさには特に限定はなく、透明シートの端部よりも内側に設けるかあるいは外部に突出して設けることもできる。
図６は、接着性材料５がスプレーなどにより塗布されて形成される例である。例えば、ストリッパブルコーティング剤５１が、透明シート２と皮膚３の表面に連続して設けられて接続部を形成し、透明シート２を皮膚３と一体化した例である。接着性材料５が、噴霧、塗布などにより設けられると、透明傷口保護膜の外周は図２のごとく不規則な構造となることがある。ストリッパブルコーティング剤５１は透明な膜を形成するから、透明シート２の全面にもストリッパブルコーティング剤５１を噴霧、塗布して接続部を形成しても良く、上面から見ると図３に示したようになる。
【００２０】
図７には、蓋付きチューブ１１内に収容した傷口保護膜形成用の接着剤５２を押し出す例が示される。傷口１に消毒薬または治療薬などの薬剤４を塗り、透明シート２で覆い次いでチューブ８の蓋を開けて、チューブ８の胴部を圧迫することで、チューブ８の先端から接着剤５２を透明シート２の端部に向けて適量押し出す。しかる後、指先あるいはヘラ様のもので接着剤５２を押し拡げて透明シート２と皮膚３上に連続した被覆を形成する。こうすると、透明シート２の外周辺部と皮膚３の表面には接着剤５２が連続して薄く塗られることとなり接続部が形成される。これがそのまま乾燥して固まり、透明シート２が皮膚表面３に一体に接合される。
【００２１】
次に、ストリッパブルコーティング剤を使用した傷口保護膜の形成について詳細に述べる。
ストリッパブルコーティング剤は、例えば、ポリ塩化ビニル（ＰＶＣ）のペーストレジンを可塑剤に分散させたゾル状ペーストであり、ペースト加工用に用いられるので従来ペーストレジンと称されている樹脂組成物である。ストリッパブルコーティング剤には次のような特性を有することを利用して、本考案の透明傷口保護膜を形成するにあたり結合部として用いることができる。
（１）完全防水性があること。
（２）人体に無害であること。
（３）可剥性があり、塗着後の剥離が容易で、塗着されるものに傷を付けないこと。
（４）比較的柔軟であること。
（５）プラスチックと皮膚表面に適度な接着性を有すること。
【００２２】
本発明の透明傷口保護膜の形成用のストリッパブルコーティング剤は例えば、液状のビニルプラスチゾルを主成分としている。ストリッパブルコーティング剤（ビニルプラスチゾル）には、本来有する粘性を減少させて適度な粘性にするための溶剤が混合される。この溶剤としては、人体に無害なものが選定され、しかもストリッパブルコーティング剤が本来有する乾燥機能（即ち、塗布後、比較的短時間で乾燥し硬化する機能）と、乾燥後の剥離機能（即ち、乾燥後に手で簡単に剥ぎ取れる機能）とを損なわない物性のものが選定される。
【００２３】
このような特性を持つ溶剤として、例えばリモネンが選定可能である。このリモネンは、みかんなどの柑橘系の果実の皮より抽出される天然の炭化水素成分であって、無色透明で人畜無害であり、しかもストリッパブルコーティング剤に溶けることで本来有する粘性、ねばねばが低下する。従って、このような溶剤の配合量の選定により、本考案の透明傷口保護膜を形成するに適した粘性を設定することが可能となる。
【００２４】
ストリッパブルコーティング剤を接着性材料として接続部を形成するには、このコーティング剤を高圧ガスと共にエアゾール管内に充填して傷口１を覆う透明シート２の周辺に噴射して、透明シート２と皮膚３を一体化するのが良い。先ず、傷口１に消毒薬または治療薬などの薬４を塗り、次いで図６に示すようにノズルの頂部を押してそこからコーティング剤を透明シートの端部周囲に向けて噴射する。これにより、図２または図３に示すように透明シート２の外周辺部と皮膚３の表面にはシール剤が連続して薄く塗られることとなり、そのまま乾燥して固まると、透明シート２が皮膚３表面に一体化される。こうして本考案の透明傷口保護を得る。エアゾール化したストリッパブルコーティング剤あるいは接着剤を用いると、単にノズルから傷口１に向けて噴射するだけでよく簡便に本考案の透明屑口保護膜を形成することができる。
【００２５】
このようにして傷口の上側に塗られた接着剤材料としてのストリッパブルコーティング剤は単に塗り固化させるだけで、傷口１を水や塵埃から完全に遮断、被覆する透明傷口保護膜を簡単に形成することができる。しかも、こうして形成した接続部は人体に無害な素材から選ばれ、かつ比較的柔軟で皮膚へのなじみ性が良く違和感がない上、使用後は透明傷口保護膜を手で容易に剥ぎ取ることができる。ストリッパブルコーティング剤または接着剤としては、透明であり、気密で防水および防塵機能を備えた透明傷口保護膜を形成するために最適のもの選ばれるが、透明シートと接着性材料を組み合わせてキットをすることにより使い勝手も頗る良好となり、また、入浴時や水仕事時に傷口を水濡れから確実に保護することができる。
【００２６】
上記傷口保護膜は時間が経てば皮膚から自然と剥がれるが、早めに剥がしたい場合は、例えば、該保護膜に指の爪か適当な道具で剥ぎ口を付けたりしてすることにより手で簡単に剥ぎ取ることができる。また、この剥ぎ取った透明傷口保護膜は無害であることから、何処にでも廃棄でき、廃棄場所に気を使う必要もない。また、透明シートに、傷口に対する消毒薬及び治療薬などの薬剤を含有させるようにすれば、消毒薬や治療薬を持ち合わせていなくても、応急手当てや止血を的確に行うことができ、細菌感染や化膿を効果的に防止できる。
【００２７】
上記ストリッパブルコーティング剤を利用した接続部の乾燥時間、被膜の硬さや厚さなどは、ストリッパブルコーティング剤（例えば、ビニルプラスチゾル）の組成や、これと溶剤（例えば、リモネン）との配合割合を変えることで適宜調整可能である。
以上、本考案の具体例を詳述したが、本考案はその要旨を逸脱しない範囲で種々の設計変更を行うことが可能である。
【００２８】
また、接続部を形成する材料としてのストリッパブルコーティング剤にはビニルプラスチゾル以外にもエチルセルロース、合成ゴム系ラテックスなどの他の素材からなるストリッパブルコーティングを使用しても良いことは勿論である。本考案の透明シート、ストリッパブルコーティング剤（ビニルプラスチゾル）、接着性材料に、人体に無害の顔料、染料、ラメなどを適宜混入することで種々の色、柄のシール剤が得られるようにしてもよい。
【産業上の利用可能性】
【００２９】
本考案により、従来の被覆によっては得られなかって密着性に優れ円局部や凹凸部の多い生体表面への適応性が完全に達成され、しかも傷口の治癒状態を目視できるため傷口の状態に応じて、被覆の除去、交換の時期の見極め、治療方法の選択などが容易に判断できることにより、傷口の治癒が短期間で達成される。また、透明な窓より傷口が確認されることから、被覆材料による傷口の被覆を的確に、容易に行うことが可能となり被覆の効果や効率が改善され、生体面の機能を損なうことなく傷口が保護される。本考案は、こうした特徴を有する本考案は、医療、美容、畜産などの広い分野での応用が可能となり、経済的、社会的な貢献が大きくなされる優れたものである。
【符号の説明】
【００３０】
１：傷口
２：透明シート
２１：透明窓
３：皮膚
４：創傷用薬剤
５：接着性材料（ストリッパブルコーティング、接着剤）
５１：噴射されている接着性材料（ストリッパブルコーティング剤）
５２：チューブから押出された接着剤
６１：多孔質体
６２：柔軟性と透水性を有する部材
７：スプレー容器
８：チューブ
【図１】
0003167793.tif 000003
【図２】
0003167793.tif 000004
【図３】
0003167793.tif 000005
【図４】
0003167793.tif 000006
【図５】
0003167793.tif 000007
【図６】
0003167793.tif 000008
【図７】
0003167793.tif 000009